(57)【要約】【課題】円形、円柱、円錐などの表示方を用いて、より視覚に訴えることのできるエリア監視用の表示方法、同監視装置を提案する。【解決手段】工場エリア内の各種データを管理室のサーバに格納し、インターネットなどの通信網を介して遠隔地にあるコンピュータで遠隔監視する。ボリュームマップ表示機能は、工場エリア１内の値（電流、電圧、電力、湿度、各種圧力、歪み、振動等）を図面、絵及び地図上の発生位置に図形（２Ｄ、３Ｄ表現を含む）の大きさ及び色で表現する機能であり、各種センサ１２で得たデータを処理して表示する。表示には、円形々状を表示形状に用い、円の中心が測定地点を表示、円の大きさが測定値の大きさ（絶対値）を示し、円の色を半透明として、測定地点や背景図が分かるようにする。【選択図】図１Ｂ
2010257439.tif 000002
【特許請求の範囲】
【請求項１】
監視対象エリア内の各所に配した複数のセンサで、少なくとも一種類の所要の事象に関する値あるいはその変化値を測定し、該測定で得たデータを処理して処理結果をモニタ画面上に表示するエリア監視用の表示方法であって、
前記監視対象エリアを示すエリア表示に、前記処理結果の表示を重ねて表示するとともに、
前記モニタ画面での前記エリア表示上における前記処理結果の表示位置を、該処理結果を得た前記センサの配置箇所に対応あるいはほぼ対応する位置としてなる
ことを特徴とするエリア監視用の表示方法。
【請求項２】
請求項１のエリア監視用の表示方法において、
前記処理結果の表示形態が、円形や三角形、四角形等の二次元的多角形々状、または円柱形、角柱形、円錐形、角錐形等の擬似的な立体形々状等の二次元形状である
ことを特徴とするエリア監視用の表示方法。
【請求項３】
請求項１または２のエリア監視用の表示方法において、
前記処理結果の表示形状が、前記エリア表示上での測定地点や背景図が視認可能な半透明なものである
ことを特徴とするエリア監視用の表示方法。
【請求項４】
請求項１から３のいずれかのエリア監視用の表示方法において、
前記処理結果の表示形状中心が、前記センサによる測定地点に対応することを特徴とするエリア監視用の表示方法。
【請求項５】
請求項１から４のいずれかのエリア監視用の表示方法において、
前記処理結果の表示形状の大きさを、測定値の大きさに相当させる
ことを特徴とするエリア監視用の表示方法。
【請求項６】
請求項１から５のいずれかのエリア監視用の表示方法において、
監視対象エリアの状況変化を示すために、前記処理結果の表示形状の色を前記測定値に応じて可変させる
ことを特徴とするエリア監視用の表示方法。
【請求項７】
請求項１から６のいずれかのエリア監視用の表示方法において、監視対象エリアの状況変化を示すために、前記処理結果の表示を三次元状の画像表示にて行うことを特徴とするエリア監視用の表示方法。
【請求項８】
請求項７のエリア監視用の表示方法において、前記処理結果を示す三次元状の画像表示を回転させて前記監視対象エリアの少なくとも３面を示し得るようにしてなることを特徴とするエリア監視用の表示方法。
【請求項９】
請求項１から８のいずれかのエリア監視用の表示方法による表示が可能な表示手段を備えるとともに、前記センサの測定値の処理手段を有することを特徴とするエリア監視装置。
【発明の詳細な説明】
【技術分野】
【０００１】
本発明は、電流、温度など工場設備の運転環境データや、サーバーラックの稼働状況、室内の温度、湿度等のように、経時的に値が変化する状態量を収集して一括管理する監視する装置で用いるのに適する変化量監視用の表示方法、同監視装置に関する。
【背景技術】
【０００２】
従来、この種のシステムは、電流、電圧、温度、圧力といった状態量のデータの計測値を、デジタル表示、バー表示、ヒストリカルトレンド表示などすることでそれらの変化を示すものがほとんどである。これらの表示方法では、監視者などの視覚に十分に訴えるものとはいえず、より視覚的に優れた表示方法、装置の提供が望まれていた。
【先行技術文献】
【特許文献】
【０００３】
【特許文献１】特開２００６−２０８０００号公報
【発明の概要】
【発明が解決しようとする課題】
【０００４】
そこで本発明は、円形、円柱、円錐などの表示方を用いて、より視覚に訴えることのできるエリア監視用の表示方法、同監視装置を提案することを目的とするものである。
【課題を解決するための手段】
【０００５】
本発明のエリア監視用の表示方法のうち請求項１に係るものは、監視対象エリア内の各所に配した複数のセンサで、少なくとも一種類の所要の事象に関する値あるいはその変化値を測定し、該測定で得たデータを処理して処理結果をモニタ画面上に表示するエリア監視用の表示方法であって、前記監視対象エリアを示すエリア表示に、前記処理結果の表示を重ねて表示するとともに、前記モニタ画面での前記エリア表示上における前記処理結果の表示位置を、該処理結果を得た前記センサの配置箇所に対応あるいはほぼ対応する位置としてなることを特徴とする。
【０００６】
請求項２に係るものは、請求項１のエリア監視用の表示方法において、前記処理結果の表示形態が、円形や三角形、四角形等の二次元的多角形々状、または円柱形、角柱形、円錐形、角錐形等の擬似的な立体形々状等の二次元形状であることを特徴とする。
【０００７】
請求項３に係るものは、請求項１または２のエリア監視用の表示方法において、前記処理結果の表示形状が、前記エリア表示上での測定地点や背景図が視認可能な半透明なものであることを特徴とする。
【０００８】
請求項４に係るものは、請求項１から３のいずれかのエリア監視用の表示方法において、前記処理結果の表示形状中心が、前記センサによる測定地点に対応することを特徴とする。
【０００９】
請求項５に係るものは、請求項１から４のいずれかのエリア監視用の表示方法において、前記処理結果の表示形状の大きさを、測定値の大きさに相当させることを特徴とする。
【００１０】
請求項６に係るものは、請求項１から５のいずれかのエリア監視用の表示方法において、監視対象エリアの状況変化を示すために、前記処理結果の表示形状の色を前記測定値に応じて可変させることを特徴とする。
【００１１】
請求項７に係るものは、請求項１から６のいずれかのエリア監視用の表示方法において、監視対象エリアの状況変化を示すために、前記処理結果の表示を三次元状の画像表示にて行うことを特徴とする。
【００１２】
請求項８に係るものは、請求項７のエリア監視用の表示方法において、前記処理結果を示す三次元状の画像表示を回転させて前記監視対象エリアの少なくとも３面を示し得るようにしてなることを特徴とする。
【００１３】
請求項９に係るエリア監視装置は、請求項１から８のいずれかのエリア監視用の表示方法による表示が可能な表示手段を備えるとともに、前記センサの測定値の処理手段を有することを特徴とする。
【発明の効果】
【００１４】
本発明によれば、監視対象エリア内に存する機器に係る、電流、電圧、温度、圧力といった状態量のデータの計測値を、監視者などの視覚に十分に訴え得る、より視覚的に優れたエリア監視用の表示方法、同監視装置を提供できる。
【図面の簡単な説明】
【００１５】
【図１Ａ】本発明の実施対象となるエリアの一例を示す斜視図
【図１Ｂ】本発明に係るエリア監視用の表示方法のうちのボリュームマップ表示例を示す図
【図１Ｃ】センサ等への電源供給経路例を示す概念図
【図２】温度・湿度測定ターミナルや電流測定ターミナルの配線例を示す概念図
【図３】エリア監視用のデータの表示機能を示す概念図（リアルタイムデータ表示（Ａ）、バーグラフ表示（Ｂ）、フロア表示（Ｃ）、ボリュームマップ表示（Ｄ）、温度分布表示（Ｅ）、ヒストリカルトレンド表示（Ｆ）、アラーム表示（Ｇ）、直前表示（Ｈ））
【図４】エリア監視用のデータによる管理機能を示す概念図（メール通知（Ａ）、グループ編集（Ｂ）、ＣＳＶ出力（Ｃ））
【図５Ａ】本発明の第２の実施例を示す図
【図５Ｂ】本発明の第２の実施例を示す図
【図５Ｃ】本発明の第２の実施例を示す図
【図５Ｄ】本発明の第２の実施例を示す図
【図６Ａ】本発明の第２の実施例を示す図
【図６Ｂ】本発明の第２の実施例の変形例を示す図
【図６Ｃ】本発明の第２の実施例の変形例を示す図
【図６Ｄ】本発明の第２の実施例の変形例を示す図
【発明を実施するための形態】
【００１６】
本発明は、ボリュームマップ表示と称して、円形や円柱、円錐などの二次元図形の表示を、消費電流値や温度などの測定値あるいはその演算処理結果に対応させて変化させるという形態を用いて、監視者の視覚により良く訴えることができる表示方法、装置を実現可能とするものである。
【実施例１】
【００１７】
図１Ａは、本発明の実施対象となるエリアの一例を示す斜視図、図１Ｂは本発明に係るエリア監視用の表示方法のうちのボリュームマップ表示例を示す図、図１Ｃはセンサ等への電源供給経路例を示す概念図である。
【００１８】
図１Ａに示す本発明の実施対象となるエリアは、工場エリア１と管理室２からなり、管理室２のサーバ３をインターネットなどの通信網４を介して遠隔地５にあるコンピュータ６で遠隔監視できるようにしているものである。なお、図示の工場設備は監視対象とする設備、エリアの単なる一例である。
【００１９】
工場設備１内には、原料製品置き場７、加工、仕分け等のための設備８、コンベアライン９、分電盤１０などを備えており、原料製品置き場７には温度・湿度測定ターミナル１１が、加工、仕分け等のための設備８には各種センサ１２が、分電盤１０には電流測定ターミナル１３が、それぞれ備えてある。温度・湿度測定ターミナル１１、各種センサ１２、電流測定ターミナル１３からのデータは、管理室２のサーバ３に格納され、サーバ３にインストールされたソフトウェアにより、管理室２のモニタ１４、遠隔地５のコンピュータ６用のモニタ１５で視覚的にこれらのデータ並びにこれらのデータの処理、加工後のデータを見得るようになっている。
【００２０】
なお、図２に示すように、温度・湿度測定ターミナル１１や電流測定ターミナル１３の配線１６は、従来の１：１配線（図２（Ａ））ではなく、４芯ケーブル１本でまとめて接続を行え（図２（Ｂ））、作業工数の省力化によるシステム設置工数の短縮、ケーブル敷設工事などコスト低減の他、断線トラブルの軽減、配線の省スペース化など、システムの高い保守性・信頼性を実現できる。図１Ｃのセンサ等への電源供給経路において、この図２に示す配線例を採用すると配線が簡素化できて好ましい。取得したデータを表示する画面において、取得した最新データが異常値であった場合、ポイント名称部の色が変化するようにしたり、取得したデータ値が設定した閾値に対してどのくらいの割合であるかを表示したりすることが可能になる。
【００２１】
サーバ３にインストールされたソフトウェアにより実現されるエリア監視用のデータのモニタ１４、１５での表示機能には、リアルタイムデータ表示、バーグラフ表示、フロア表示、ボリュームマップ表示、温度分布表示、ヒストリカルトレンド表示、アラーム表示、直前表示などがあり（図３に示す）、管理機能には、メール通知、グループ編集、ＣＳＶ出力などの機能がある（図４に示す）。
【００２２】
上述の表示のうち、リアルタイムデータ表示（図３（Ａ））は、取得した最新のデータを表示するもので、取得したデータが異常値であった場合、ポイント名称部の色を変化させて表示するものである。バーグラフ表示（図３（Ｂ））は、取得した値が設定した閾値に対してどのくらいの割合であるかを表示するものである。フロア表示（図３（Ｃ））は、工場エリア１全体を監視できるもので、現在警報が発生しているポイントを視覚的に特定するため表示するものである。温度分布表示（図３（Ｅ））は、工場エリア１中の高温になっている場所、冷やしすぎている場所を一目で捕らえることができるように表示するものである。ヒストリカルトレンド表示（図３（Ｆ））は、データの変動傾向を捕らえるためのもので、リアルタイムのデータ取得に対応し、自動描画を行う機能も備えている。アラーム表示（図３（Ｇ））は、アラームを検知すると、画面に警報ランプを表示させ、表示された警報ランプからアラームの詳細情報にジャンプすることができる機能を有するものである。そして直前表示（図３（Ｈ））は、アラーム履歴画面から、異常発生の直前のヒストリカルトレンドを呼び出すことができ、異常発生時の状況を素早く確認することができる画面を表示するものである。
【００２３】
また上述の管理機能のうち、メール通知（図４（Ａ））は、異常発生の際には指定のアドレスにメールを自動送信し、事態の早期発見や対策をサポートするための機能である。メールの内容や送信先は、発生した状況に合わせて設定することができるようにすることが好ましい。またグループ編集（図４（Ｂ））は、温度・湿度測定ターミナル１１、各種センサ１２、電流測定ターミナル１３による測定点をエリアや測定対象機器ごとにグループに分けて管理することを可能にする機能である。さらに、ＣＳＶ出力（図４（Ｃ））は、データの帳票印刷、またはＣＳＶ保存を行うことができるようにする機能である。すなわち、印刷したいデータ取得期間を設定し、日報、月報、年報の出力を可能とする。
【００２４】
上述の表示のうちのボリュームマップ表示について以下詳細に説明する。ボリュームマップ表示は、概略的には図３（Ｄ）のように、詳細には一例として図１Ｂのようになる。なお図１Ｃもボリュームマップ表示例である。またなお、図示の例の「ボリュームマップ表示」では、円形々状を表示形状に用いているが、本発明は、これに限定されず、処理結果をどのような表示形状を採用して表すにせよ、測定値の大きさに相当させることができれば、三角形、四角形等の二次元的多角形々状、または円柱形、角柱形、円錐形、角錐形等の擬似的な立体形々状等の二次元形状を用いて、いわゆるグラフィカルに、効果的に視覚に訴えることのできる形状を採用できる。
【００２５】
図１Ｂに示すような表示、すなわち本実施例の「ボリュームマップ表示」のグラフィカル表示には、例えば次のような意味合いを持たせることができる。すなわち、
（１）円の中心は、測定地点を示し、
（２）円の大きさは、測定値の大きさ（絶対値）を示し、
（３）円の色を半透明とすることで、測定地点や背景図が分かるようにする
ことができる。
【００２６】
また、図示は省略するが、色に意味をもたせ、例えば黄色であれば第一警告、赤色であれば最終警告、のように、色目自体に意味合いを持たせてもよい。このような表示により、化学薬品や食料品など保管場所の温度の偏りもひと目でわかるし、使用電流の推移など現在の数値を遠隔地からでもウェブアプリケーションを利用してリアルタイムで確認できる。
【００２７】
またボリュームマップ表示の機能としては、基本的には、工場エリア１内の値（電流、電圧、電力、湿度、各種圧力、歪み、振動等）を図面、絵及び地図上の発生位置に図形（２Ｄ、３Ｄ表現を含む）の大きさ及び色で表現する機能であり、さらに以下のような機能を持つようにすることができる。例えば、
（１）ボリュームマップリアルタイム表示機能：各種情報取得タイミングと同時にボリュームマップ表示を行う機能
（２）ボリュームマップ過去表示機能：指定した過去の日時のボリュームマップ表示を行う機能
（３）ボリュームマップアニメーション機能：指定した期間のボリュームマップ表示を指定した時間で動画表示する機能であり、過去へさかのぼりや一時停止、表示しながらの表示速度の調節機能
（４）ボリュームマップ予測表示機能：過去の収集データから未来の値を予測し、指定した日時のボリュームマップ表示を行う機能
（５）ボリュームマップ予測アニメーション機能：過去の収集データから未来の値を予測し、指定した日時までのボリュームマップ表示を指定した時間で動画表示する機能であり、過去へさかのぼりや、時停止、表示しながらの表示速度の調節機能
（６）ボリュームマップ閾値アラート機能：ボリュームマップ上の図形を、ある閾値にもとづいて表現を色や形で知らせる機能
等を挙げることができる。
【００２８】
そして以上の表示は、遠隔地５にあるコンピュータ６においてＷＥＢブラウザ等でも確認でき、電流、温度など工場エリア１内の各種設備の運転環境データを収集して一括管理するシステムとすることができる。すなわち、現場まで手動測定に行かずとも、パソコン等のコンピュータの画面上でリアルタイムな数値を確認できる。そしてサーバ３に収集、格納したデータをグラフや分布図などで見やすく表示し、現在の状態を素早く把握することを可能にする。このことは、工場設備の電流、温度などをリアルタイムに一括監視することによる設備稼働率の向上、設備管理業務の効率化、エネルギーコストの削減を実現できる。
【００２９】
なお、本発明のシステムを工場設備内で使用する場合、センサ等で収集する、あるいは収集可能なデータとしては、電流温度、湿度各種圧力流量ゆがみ、熱溜まりや冷やしすぎている場所、効率的な空調の指標にすることができる。そのため、ボリュームマップ表示の機能との組み合わせで、例えば、
（１）温度分布図アニメーション機能：指定した期間の温度分布図を指定した時間で動画表示する機能であり、過去へさかのぼりや、時停止、表示しながらの表示速度の調節機能
（２）温度分布図とボリュームマップの重ね表示機能：ボリュームマップによる熱源の振舞いと温度分布図による熱だまりの振舞いを同時に可視化する事で、空調もしくは各種機器の制御を支援する機能
（３）温度分布図とボリュームマップの重ねアニメーション機能：指定した期間の温度分布図とボリュームマップの重ね表示を指定した時間で動画表示する機能であり、過去へさかのぼりや一時停止、表示しながらの表示速度の調節機能
（４）ボリュームピックアップ機能：値の範囲指定をして該当箇所のみ図形（２Ｄ、３Ｄ表現を含む）の大きさ及び色で表現する機能
を持つようにすることができる。もちろん、さらに他の検索項目との組み合わせも可能である。
【００３０】
なお、エネルギ監視を行うシステムにおいては、既述内容と重複するものもあり得るが、
（１）ボリュームマップ表示機能単独
（２）ボリュームマップ表示機能と温度分布図表示機能
（３）ボリュームマップ表示機能とデータモニター表示機能
（４）ボリュームマップ表示機能とトレンドグラフ表示機能
の組み合わせ、さらには、アラームメール送信機能、アラーム確認ボタン（発生しているアラームをオペレーターが認知したことを確認する機能）、ユーザー管理、グループ管理機能、ＷＥＢ画面の権限別表示を組み合わせることも可能である。
【００３１】
また上述してきたソフトウェアをインストールしたサーバ３や、温度・湿度測定ターミナル１１、センサ１２、電流測定ターミナル１３などを含むエリア監視用の表示装置を構成できることは明らかであるので説明を省略するが、その機能は上述の通りである。
【実施例２】
【００３２】
図５Ａ〜図５Ｄは、本発明の第２の実施例を示す図で、例えば複数のサーバーマシンを搭載したサーバーラックが、監視者がいる場所から離れた監視対象エリアである、例えば密閉、略密閉された部屋などのエリア内に設置されているものとして、サーバーラック２０の外形を三次元のボックス状にして外面のみを示し、搭載しているサーバーマシンの稼働状況によるサーバーラック内部での温度変化の外面への投影（内部温度変化の影響でもある）を色の変化（例えば、低温は緑、高温になるにつれて赤っぽい色になっていき、所定の温度以上では真っ赤になる等：ただし、図ではグレースケールの階調変化でしめしてあり、図の例では濃い方が高温、薄い方が低温である）として、かつ時々刻々その変化を視覚的に認識し得るように示している。温度の測定は、接触式の温度計でも、あるいはサーモグラフィーのような非接触式の装置を用い得るが、どのような装置、手段、機器であっても良い。また表示色は上述の色の他種々適宜の色を用い、あるいはグレースケールや、ハッチングその他の表示手法等、どのようなものでも良い。
【００３３】
ところで図の例では、サーバーラック２０の左右の外壁にそれぞれ複数のタップを備える電源タップ２１、２２が設けてあり、それらの温度変化（エリア内の温度変化だけでなく、供給される電源タップ内の電気回路を通過する際の熱的温度変化による影響を示している。サーバーラック２０の外形図への電源タップ２１、２２の書き込みは図５にその設置位置を示すのみとし、他の図では簡略化のために省略してあるが、各図の左右には電源タップ２１、２２の正面図と、その温度の違いをやはりグレースケールで示してある。
【００３４】
なお、図の例では電源タップ２１、２２がそれぞれ２０個のタップ２１ａ、２２ａを有しているが、この個数に本発明が限定されることはなく、単なる一例である。また、電源タップ２１、２２を左右の側面に設けているが、これも単なる一例である。監視内容に合わせてエリア、対象物、状態量、状態表示の仕様等々は自由に決定すれば良い。要するに、監視対象が立体物、立体エリアの外面あるいは擬似的に外面と考えた部位、エリアであればよい。
【００３５】
なお、図中でサーバーラック２０の天面に示す白い三角形２３は、表示されている図を回転させて示すので（図の例では上下方向でサーバーラック２０の中心軸の周りで回転させているが、本発明はこれに限定されない）、サーバーラック２０の正面が表示画像中でどの方向に向いているかを示している。これも適宜の表示によって行えばよい。
【００３６】
また図６Ａ〜図６Ｄは、本発明の第２の実施例の変形例として、サーバーラック２０内部の湿度変化を示している。基本的には図５の例と同様であるが、サーバーラック２０の内部に湿度計を適宜数備えて、それらの計測出力を得るようにする必要がある。湿度計測のための機器、構成は、機械的センサ、熱的センサ、乾湿球湿度計、熱伝導率を計測する湿度計、電磁波的(光)センサ、インピーダンス変化センサ等々種々適当なモノを用い得ることが周知であるので図示及び説明を省略する。
【００３７】
湿度の違いは、例えば水分をイメージさせやすい水色や、薄紫色の濃度変化で示すことが好ましいように思われるが、温度の場合と同じ色や、その他の色や表示手法を用い得る。図では、やはりグレースケールで示してあり、図の例では濃い方が高湿、薄い方が低湿である。その他は図５Ａ〜図５Ｄに示す温度の場合と同様である。
【００３８】
なお、本実施例は、状態量の変化を外観の変化の表出として回転する三次元体的に把握できる点で実施例１と異なっている。したがって、実施例１と組み合わせることにより、特に図１（Ｂ）のような図形の大きさの差で表現するものと組み合わせることにより、温度、湿度の違い、変化とを同時に把握可能になるとエリア監視としては非常に好ましい監視形態を構成できる。またセンサやセンシング手段を種々採用することにより、温度、湿度以外の種々の状態量について監視できるようになることはいうまでもない。
【産業上の利用可能性】
【００３９】
また本実施例のような監視形態は、ラックや、建造物等の物理的に剛性を有するエリアに限定されない。センサの配置などを工夫することにより、仮想的な三次元エリアを構成して監視するシステムも可能であろうし、そのようなエリアを組み合わせることにより、何重あるいは何層もの構成の複雑なエリアの監視も可能になる。
【符号の説明】
【００４０】
１：工場エリア
２：管理室
３：サーバ
４：通信網
５：遠隔地
６：コンピュータ
７：原料製品置き場
８：加工、仕分け等のための設備
９：コンベアライン
１０：分電盤
１１：温度・湿度測定ターミナル
１２：センサ
１３：電流測定ターミナル
１４、１５：モニタ
１６：配線
２０：サーバーラック
２１、２２：電源タップ
２１ａ、２２ａ：タップ
２３：サーバーラックの天面に示す三角形
【図１Ａ】
2010257439.tif 000003
【図１Ｂ】
2010257439.tif 000004
【図１Ｃ】
2010257439.tif 000005
【図２】
2010257439.tif 000006
【図３】
2010257439.tif 000007
【図４】
2010257439.tif 000008
【図５Ａ】
2010257439.tif 000009
【図５Ｂ】
2010257439.tif 000010
【図５Ｃ】
2010257439.tif 000011
【図５Ｄ】
2010257439.tif 000012
【図６Ａ】
2010257439.tif 000013
【図６Ｂ】
2010257439.tif 000014
【図６Ｃ】
2010257439.tif 000015
【図６Ｄ】
2010257439.tif 000016